(57)【要約】【課題】点灯装置と高圧放電灯との距離が長い場合において高圧放電灯を確実に始動点灯させ、しかも、高圧放電灯に対して必要以上に高いパルス電圧が印加するのを防止する。【解決手段】高圧放電灯３と、この高圧放電灯３とは長い配線５を経由して離間して設置され、この高圧放電灯３を始動させるパルス電圧を発生する第１の始動装置４を内蔵した点灯装置２と、高圧放電灯３に近接して、この高圧放電灯３と点灯装置２との間に接続され、点灯装置２からの極性を交互に反転する矩形波出力に応じて高圧放電灯３を始動させるパルス電圧を発生する第２の始動装置６とを備え、矩形波出力の立ち上がりを基準にして、第２の始動装置６からのパルス電圧の発生を第１の始動装置４からのパルス電圧の発生よりも早いタイミングで行う。【選択図】      図１
2005116510.tif 000002
【特許請求の範囲】
【請求項１】
高圧放電灯と、
この高圧放電灯を始動させるパルス電圧を発生する第１の始動装置を内蔵した点灯装置と、
前記高圧放電灯と前記点灯装置との間に接続され、前記点灯装置の出力に応じて前記高圧放電灯を始動させるパルス電圧を発生する第２の始動装置とを備え、
前記各始動装置から発生するパルス電圧のタイミングを異ならせたことを特徴とする高圧放電灯点灯装置。
【請求項２】
点灯装置の出力は矩形波出力であって、この点灯装置の矩形波出力の立ち上がり又は立ち下がりを基準にして第２の始動装置が発生するパルス電圧を第１の始動装置が発生するパルス電圧よりも早いタイミングで発生させることを特徴とする請求項１記載の高圧放電灯点灯装置。
【請求項３】
第１の始動装置がパルス電圧を発生する矩形波出力の極性と第２の始動装置がパルス電圧を発生する矩形波出力の極性を異ならせたことを特徴とする請求項１記載の高圧放電灯点灯装置。
【請求項４】
高圧放電灯を支持した照明器具と、この照明器具の高圧放電灯を点灯制御する請求項１記載の高圧放電灯点灯装置からなることを特徴とする照明装置。
【発明の詳細な説明】
【技術分野】
【０００１】
本発明は、高圧放電灯を点灯制御する高圧放電灯点灯装置及びこの高圧放電灯点灯装置を使用した照明装置に関する。
【背景技術】
【０００２】
従来、高圧放電灯を始動させる高圧パルス電圧を発生させる始動装置を内蔵した高圧放電灯装置においては、点灯装置が高圧放電灯に近接配置され、始動装置と高圧放電灯との配線距離が短い場合は高圧パルス電圧が減衰することなく高圧放電灯に印加されるため始動性に問題は生じない。しかし、器具類の設置の都合から点灯装置と高圧放電灯との配線距離が長くなる場合がある。このような場合は配線長による浮遊容量やインダクタンス成分などが大きくなり高圧パルス電圧の減衰が大きくなって放電灯を点灯させることができなくなる。
【０００３】
このため、始動装置として、パルス発生部の主コンデンサに、複数のコンデンサをそれぞれ外部からの操作によって並列に接続させる出力切換手段を設け、始動装置と放電灯との距離が長くなると主コンデンサに並列に接続されるコンデンサの数を増やして全体の容量を大きくし、距離に応じた適切なパルス電圧を発生させるものが知られている（例えば、特許文献１参照）。
【０００４】
また、高圧放電灯安定器と照明器具とを離して設置し、高圧放電灯安定器側に昇圧装置を配置するとともに照明器具に高圧放電ランプと高電圧パルス発生装置を配置し、高圧放電灯安定器からの無負荷二次電圧に昇圧装置からの高いピーク値を有する電圧を重畳した高電圧を高電圧パルス発生装置に出力し、高電圧パルス発生装置では入力する高電圧のピーク値にさらに高電圧パルスを重畳して高圧放電灯に印加するものが知られている（例えば、特許文献２、特許文献３参照）。
【特許文献１】特開平５−２８３１８０号公報
【特許文献２】実用新案登録第２５９８５２１号公報
【特許文献３】特開平８−４５６７８号公報
【発明の開示】
【発明が解決しようとする課題】
【０００５】
しかしながら、始動装置と放電灯との間の配線長は、設置場所や設置位置などによって異なるため、上記した特許文献１のものでは設置の都度、出力切換手段を操作して調整を行わなければならない面倒があり、また、出力切換えを誤ると高圧放電灯を始動点灯できなくなる虞があった。
【０００６】
また、上記した特許文献２及び３のように、高圧放電灯の近傍に高電圧パルス発生装置を配置した場合には安定器内部に設けた始動装置と高圧放電灯との間の配線が長くなっても高圧放電灯に確実に高電圧パルスを印加させることができる。しかしながら、始動装置からの高電圧のピーク値に高電圧パルス発生装置からの高圧パルスを重畳して高圧放電灯に印加する構成では、高圧放電灯に対して必要以上に高いパルス電圧が印加して高圧放電灯の寿命に影響を与える虞があった。また、始動装置からの高電圧のピーク値に高電圧パルス発生装置からの高圧パルスを重畳させるには高電圧のピーク値と高圧パルスを合わせなければならず、調整が面倒であった。
【０００７】
そこで、請求項１乃至３記載の発明は、点灯装置と高圧放電灯との距離が長い場合において高圧放電灯を始動点灯させることができ、しかも、高圧放電灯に対して必要以上に高いパルス電圧が印加するのを防止でき、さらに、面倒な調整を不要にできる高圧放電灯点灯装置を提供する。
【０００８】
また、請求項４記載の発明は、点灯装置と高圧放電灯との距離が長い場合において高圧放電灯を始動点灯させることができ、しかも、高圧放電灯に対して必要以上に高いパルス電圧が印加するのを防止でき、さらに、面倒な調整を不要にできる照明装置を提供する。
【課題を解決するための手段】
【０００９】
請求項１記載の発明は、高圧放電灯と、この高圧放電灯を始動させるパルス電圧を発生する第１の始動装置を内蔵した点灯装置と、高圧放電灯と点灯装置との間に接続され、点灯装置の出力に応じて高圧放電灯を始動させるパルス電圧を発生する第２の始動装置とを備え、各始動装置から発生するパルス電圧のタイミングを異ならせた高圧放電灯点灯装置にある。
【００１０】
高圧放電灯は水銀ランプ、メタルハライドランプ、高圧ナトリウムランプ等である。点灯装置は、出力を変化可能であるもので、例えば、インバータ、チョッパ、あるいはこれらを組み合わせたもの等が比較的簡単かつ安価に入手可能である。
【００１１】
請求項２記載の発明は、請求項１記載の高圧放電灯点灯装置において、点灯装置の出力は矩形波出力であって、この点灯装置の矩形波出力の立ち上がり又は立ち下がりを基準にして第２の始動装置が発生するパルス電圧を第１の始動装置が発生するパルス電圧よりも早いタイミングで発生させることにある。
【００１２】
請求項３記載の発明は、請求項１記載の高圧放電灯点灯装置において、第１の始動装置がパルス電圧を発生する矩形波出力の極性と第２の始動装置がパルス電圧を発生する矩形波出力の極性を異ならせたことにある。  
請求項４記載の発明は、高圧放電灯を支持した照明器具と、この照明器具の高圧放電灯を点灯制御する請求項１記載の高圧放電灯点灯装置からなることを照明装置にある。
【発明の効果】
【００１３】
請求項１乃至３記載の発明によれば、点灯装置と高圧放電灯との距離が長い場合において高圧放電灯を始動点灯させることができ、しかも、高圧放電灯に対して必要以上に高いパルス電圧が印加するのを防止でき、さらに、出力を切換えるような調整を不要にできる高圧放電灯点灯装置を提供できる。  
また、請求項４記載の発明によれば、点灯装置と高圧放電灯との距離が長い場合において高圧放電灯を始動点灯させることができ、しかも、高圧放電灯に対して必要以上に高いパルス電圧が印加するのを防止でき、さらに、出力を切換えるような調整を不要にできる照明装置を提供できる。
【発明を実施するための最良の形態】
【００１４】
本発明の実施の形態を、図面を参照して説明する。  
（第１の実施の形態）
図１に示すように、商用交流電源１に点灯装置２を接続している。前記点灯装置２は高圧放電灯３を始動させるパルス電圧を発生する第１の始動装置４を内蔵している。前記点灯装置２の出力端子に２ａ，２ｂに距離の長い配線５を介して第２の始動装置６の入力端子６ａ，６ｂを接続している。そして、前記第２の始動装置６の出力端子６ｃ，６ｄに距離の短い配線７を介して前記高圧放電灯３を接続している。
【００１５】
前記点灯装置２は、前記商用交流電源１にダイオードブリッジからなる全波整流回路１１の入力端子を接続し、この全波整流回路１１の出力端子にコンデンサ１２を並列に接続するとともに、第１のインダクタ１３を介してＭＯＳ形の第１のＦＥＴ（電界効果形トランジスタ）１４と第１の電流検出素子１５との直列回路を並列に接続している。そして、前記第１のＦＥＴ１４と第１の電流検出素子１５との直列回路にダイオード１６を順方向に介して電解コンデンサからなる１対の平滑コンデンサ１７，１８の直列回路を並列に接続している。
【００１６】
前記第１のインダクタ１３、第１のＦＥＴ１４、ダイオード１６、平滑コンデンサ１７，１８は昇圧チョッパ回路２０を構成している。この昇圧チョッパ回路２０は、チョッピング制御部１９を設け、このチョッピング制御部１９に前記全波整流回路１１からの入力電圧、前記平滑コンデンサ１７，１８の直列回路の両端間に発生する出力電圧、前記第１の電流検出素子１５からの出力電圧をそれぞれ入力し、前記ＦＥＴ１４をオン、オフ制御するとともにそのターンオフタイミングを制御するようにしている。
【００１７】
前記昇圧チョッパ回路２０の出力端子、すなわち、前記平滑コンデンサ１７，１８の直列回路の両端間に、極性反転回路兼レギュレータ回路２１を接続している。前記極性反転回路兼レギュレータ回路２１は、ＭＯＳ形の第２、第３のＦＥＴ２２，２３、第２、第３のインダクタ２４，２５、前記第１の始動装置４を備えている。
【００１８】
すなわち、前記平滑コンデンサ１７の正極端子を前記第２のＦＥＴ２２のドレイン端子に接続するとともにダイオード２６のカソードに接続し、前記平滑コンデンサ１８の負極端子を前記第３のＦＥＴ２３のソース端子に接続するとともにダイオード２７のアノードに接続している。
【００１９】
前記第２のＦＥＴ２２のソース端子を前記ダイオード２７のカソードに接続し、その接続点を前記第２のインダクタ２４及び前記第１の始動装置４を構成するイグナイタトランス２８の２次巻線を直列に介して前記出力端子２ａに接続している。また、前記第３のＦＥＴ２３のドレイン端子を前記ダイオード２６のアノードに接続し、その接続点を前記第３のインダクタ２５を介して前記第２のインダクタ２４とイグナイタトランス２８の２次巻線との接続点に接続するとともに、さらに、コンデンサ２９を介して前記平滑コンデンサ１７と１８との接続点に接続している。前記平滑コンデンサ１７と１８との接続点を第２の電流検出素子３０を介して前記出力端子２ｂに接続している。
【００２０】
前記第１の始動装置４は、前記第２のインダクタ２４とイグナイタトランス２８の２次巻線との接続点と前記平滑コンデンサ１８の負極端子との間に、ダイオード３１、抵抗３２及びコンデンサ３３の直列回路を接続し、前記コンデンサ３３に前記イグナイタトランス２８の１次巻線と双方向性２端子サイリスタ３４との直列回路を並列に接続したパルス電圧発生回路によって構成している。
【００２１】
前記極性反転回路兼レギュレータ回路２１は、さらに、スイッチング制御部３５を備え、前記第２の電流検出素子３０からの出力電圧を取込み、流れる電流が一定になるように、前記第２、第３のＦＥＴ２２，２３をスイッチング制御するようになっている。そして、このときのスイッチング制御は、数十ｋＨｚの高周波で行われ、第２のＦＥＴ２２がスイッチング制御している間は第３のＦＥＴ２３はオフ状態を維持し、逆に第３のＦＥＴ２３がスイッチング制御している間は第２のＦＥＴ２２はオフ状態を維持し、この切替えを例えば１００Ｈｚという低周波で行うようになっている。
【００２２】
前記第２の始動装置６は、図２に示すように、入力端子６ａ，６ｂ間にダイオード６１、抵抗６２及びコンデンサ６３の直列回路を接続し、そのコンデンサ６３にイグナイタトランス６４の１次巻線と双方向性２端子サイリスタ６５との直列回路を並列に接続している。そして、入力端子６ａを前記イグナイタトランス６４の２次巻線を介して出力端子６ｃに接続し、入力端子６ｂを出力端子６ｄに直接接続している。
【００２３】
このような構成においては、点灯装置２は、第１のＦＥＴ１４のオン、オフ動作により電源電圧が昇圧され、昇圧された直流電圧が平滑コンデンサ１７，１８に充電され、この直流電圧が極性反転回路兼レギュレータ回路２１の電源となる。このような昇圧チョッパ動作によって入力力率が向上する。  
極性反転回路兼レギュレータ回路２１では、第２のＦＥＴ２２と第３のＦＥＴ２３が一定期間ずつ交互に高周波スイッチング制御され、出力端子２ａ，２ｂから第２の始動装置６を介して高圧放電灯３に極性を交互に反転する矩形波出力が供給される。  
高圧放電灯３が点灯する前は、第２のＦＥＴ２２が高周波スイッチングしている期間において、第２のＦＥＴ２２がオンすると、平滑コンデンサ１７の正極端子から、第２のＦＥＴ２２→第２のインダクタ２４→ダイオード３１→抵抗３２→コンデンサ３３→平滑コンデンサ１８の負極端子に充電電流が流れ、コンデンサ３３が充電される。この充電が第２のＦＥＴ２２のオン動作毎に繰り返され、やがてコンデンサ３３の充電電圧が双方向性２端子サイリスタ３４のブレークオーバ電圧に達すると、双方向性２端子サイリスタ３４が導通する。双方向性２端子サイリスタ３４が導通すると、イグナイタトランス２８の１次巻線にコンデンサ３３からの放電電流が瞬時に流れ、イグナイタトランス２８の２次巻線に数ｋＶという高いパルス電圧が発生し、配線５、第２の始動装置６を介して高圧放電灯３に印加される。
【００２４】
また、第２の始動装置６では、点灯装置２からの一方の極性、すなわち、入力端子６ａ側が正極となる矩形波電圧を入力すると、ダイオード６１及び抵抗６２を介してコンデンサ６３が充電される。この充電により、やがてコンデンサ６３の充電電圧が双方向性２端子サイリスタ６５のブレークオーバ電圧に達すると、双方向性２端子サイリスタ６５が導通する。双方向性２端子サイリスタ６５が導通すると、イグナイタトランス６４の１次巻線にコンデンサ６３からの放電電流が瞬時に流れ、イグナイタトランス６４の２次巻線に数ｋＶという高いパルス電圧が発生し、配線７を介して高圧放電灯３に印加される。
【００２５】
ここで、第１の始動装置４において第２のＦＥＴ２２が高周波スイッチング動作を開始してからコンデンサ３３の充電電圧が双方向性２端子サイリスタ３４のブレークオーバ電圧に達するまでの時間よりも、第２の始動装置６において点灯装置２からの矩形波電圧を入力してからコンデンサ６３の充電電圧が双方向性２端子サイリスタ６５のブレークオーバ電圧に達するまでの時間が短くなるように抵抗、コンデンサ、双方向性２端子サイリスタの回路素子の回路定数を設定すれば、第２の始動装置６の出力端子６ｃ，６ｄから高圧放電灯３に印加する電圧波形は図３に示すようになる。
【００２６】
すなわち、点灯装置２からの矩形波電圧における入力端子６ａ側が正極となる電圧の印加期間において、先ず、第２の始動装置６によるパルス電圧が発生し、その後、遅れて第１の始動装置４によるパルス電圧が発生する。そして、第２の始動装置６によるパルス電圧は減衰することなく高いパルス電圧のまま高圧放電灯３に印加される。また、第１の始動装置４によるパルス電圧は途中配線５による減衰を受けて高圧放電灯３に印加される。
【００２７】
このように、高圧放電灯３に対して第２の始動装置６からの減衰のない高いパルス電圧が印加された後、第１の始動装置４からの減衰を受けたパルス電圧が印加され、これが矩形波電圧における入力端子６ａ側が正極となる電圧の印加期間毎に繰り返される。これにより、高圧放電灯３は確実に始動点灯するようになる。すなわち、第１の始動装置４からのパルス電圧と第２の始動装置６からの高いパルス電圧によって高圧放電灯３を確実に始動点灯させることができる。しかも、第１の始動装置４からのパルス電圧と第２の始動装置６からの高いパルス電圧の発生タイミングをずらしているので、２つのパルス電圧が重なることはなく、高圧放電灯３に対して必要以上に高いパルス電圧が印加するのを防止できる。これにより、高圧放電灯３に対して寿命を短くするような影響を与える虞はない。さらに、点灯装置２において発生させるパルス電圧を切換えるような調整はなく、また、２つのパルス電圧を重畳させる調整も必要なく、面倒な調整を不用にできる。
【００２８】
高圧放電灯３が点灯した後は、高圧放電灯３のランプ電圧が、例えば、２００Ｖ程度から１００〜１３０Ｖ程度に低下するので、コンデンサ３３の充電電圧が双方向性２端子サイリスタ３４のブレークオーバ電圧に達しなくなり、第１の始動装置４からのパルス電圧の出力は停止される。また、第２の始動装置６においても点灯装置２からの矩形波電圧が低下するので、コンデンサ６３の充電電圧が双方向性２端子サイリスタ６５のブレークオーバ電圧に達しなくなりパルス電圧の出力は停止される。このように、高圧放電灯３が点灯した後は、第１の始動装置４からのパルス電圧も第２の始動装置６からのパルス電圧も確実に停止させることができる。これにより、ノイズ発生等を最小限に抑えることができる。特に、第２の始動装置６からの高いパルス電圧で高圧放電灯３が点灯した場合は、直ちに第１の始動装置４からのパルス電圧の発生を停止させることができ、これにより、第１の始動装置４からのパルス電圧が配線５を通過することで発生する他の機器へのノイズの影響を低減できる。
【００２９】
そして、高圧放電灯３の点灯時においては、第２のＦＥＴ２２が高周波スイッチングしている期間において、第２のＦＥＴ２２がオンすると、平滑コンデンサ１７の正極端子から、第２のＦＥＴ２２→第２のインダクタ２４→イグナイタトランス２８の２次巻線→高圧放電灯３→イグナイタトランス６４の２次巻線→第２の電流検出素子３０→平滑コンデンサ１７の負極端子、と電流が流れ、第２のＦＥＴ２２がオフすると、第２のインダクタ２４→イグナイタトランス２８の２次巻線→高圧放電灯３→イグナイタトランス６４の２次巻線→第２の電流検出素子３０→平滑コンデンサ１８→ダイオード２７→第２のインダクタ２４、と電流が流れる。
【００３０】
また、第３のＦＥＴ２３が高周波スイッチングしている期間において、第３のＦＥＴ２３がオンすると、平滑コンデンサ１８の正極端子から、第２の電流検出素子３０→イグナイタトランス６４の２次巻線→高圧放電灯３→イグナイタトランス２８の２次巻線→第３のインダクタ２５→第３のＦＥＴ２３→平滑コンデンサ１８の負極端子、と電流が流れ、第３のＦＥＴ２３がオフすると、第３のインダクタ２５→ダイオード２６→平滑コンデンサ１７→第２の電流検出素子３０→イグナイタトランス６４の２次巻線→高圧放電灯３→イグナイタトランス２８の２次巻線→第３のインダクタ２５、と電流が流れる。  
そして、第２、第３のＦＥＴ２２，２３のオンデューティを制御することで出力を制御することができる。
【００３１】
なお、この実施の形態では、点灯装置２からの矩形波電圧における入力端子６ａ側が正極となる電圧の印加期間において、第２の始動装置６からのパルス電圧の発生タイミングを、第１の始動装置４からのパルス電圧の発生タイミングよりも早くなるようにしたが必ずしもこれに限定するものではなく、逆に、第１の始動装置４からのパルス電圧の発生タイミングを、第２の始動装置６からのパルス電圧の発生タイミングよりも早くなるようにしてもよい。
【００３２】
また、この実施の形態では、点灯装置２からの矩形波電圧における入力端子６ａ側が正極となる電圧の印加期間において、第２の始動装置６から発生するパルス電圧を１個としたが必ずしもこれに限定するものではなく、第２の始動装置６におけるパルス電圧の発生周期を短くし、例えば、図４に示すように、入力端子６ａ側が正極となる電圧の印加期間において３個のパルス電圧を発生するようにしても、あるいは２個や４個以上のパルス電圧を発生するようにしてもよい。このように、入力端子６ａ側が正極となる電圧の印加期間において、第２の始動装置６から複数のパルス電圧を発生させることにより、高圧放電灯３の始動点灯をさらに早めることが可能になる。
【００３３】
（第２の実施の形態）
この実施の形態は、点灯装置２として、第１の実施の形態とは異なる構成のものを使用する。なお、同一の部分には同一の符号を付し説明を省略する。  
図５に示すように、昇圧チョッパ回路２０として、平滑コンデンサ１７，１８の直列回路に代えて平滑コンデンサ３６を使用している。また、極性反転回路兼レギュレータ回路４０は、ＭＯＳ形の第４、第５、第６、第７のＦＥＴ４１，４２，４３，４４、第４、第５のインダクタ４５，４６を備えている。
【００３４】
すなわち、前記第４のＦＥＴ４１、第４のインダクタ４５、第５のＦＥＴ４２を直列に接続し、前記第４のＦＥＴ４１のドレイン端子を前記平滑コンデンサ３６の正極端子に接続し、前記第５のＦＥＴ４２のソース端子を、電流検出素子４７を介して前記平滑コンデンサ３６の負極端子に接続している。
【００３５】
また、前記第６のＦＥＴ４３、第５のインダクタ４６、第７のＦＥＴ４４を直列に接続し、前記第６のＦＥＴ４３のドレイン端子を前記平滑コンデンサ３６の正極端子に接続し、前記第７のＦＥＴ４４のソース端子を、前記電流検出素子４７を介して前記平滑コンデンサ３６の負極端子に接続している。
【００３６】
そして、前記第４のインダクタ４５と第５のＦＥＴ４２との直列回路に、ダイオード４８を第５のＦＥＴ４２とは逆極性にして並列に接続し、前記第５のインダクタ４６と第７のＦＥＴ４４との直列回路に、ダイオード４９を第７のＦＥＴ４４とは逆極性にして並列に接続している。
【００３７】
前記第４のインダクタ４５と第５のＦＥＴ４２との接続点を、一方の出力端子２ｂに接続し、前記第５のインダクタ４６と第７のＦＥＴ４４との接続点を、第１の始動装置４を構成するイグナイタトランス２８の２次巻線を介して他方の出力端子２ａに接続している。そして、前記第４のインダクタ４５と第５のＦＥＴ４２との接続点と、前記第５のインダクタ４６と第７のＦＥＴ４４との接続点との間に、高圧放電灯３に印加する電圧の高周波成分をならすためのコンデンサ５０を接続している。
【００３８】
前記極性反転回路兼レギュレータ回路４０は、さらに、スイッチング制御部５１を備え、前記電流検出素子４７からの出力電圧を取込み、流れる電流が一定になるように、前記第４、第５、第６、第７のＦＥＴ４１，４２，４３，４４をスイッチング制御するようになっている。
【００３９】
そして、このときのスイッチング制御は、第４、第６のＦＥＴ４１，４３については数十ｋＨｚの高周波で行われ、第５、第７のＦＥＴ４２，４４については例えば１００Ｈｚという低周波で行われ、かつ、第４、第６のＦＥＴ４１，４３は第５、第７のＦＥＴ４２，４４に同期して高周波スイッチングしないオフ期間を設けている。すなわち、第７のＦＥＴ４４がオンしている期間に同期して第４のＦＥＴ４１が高周波スイッチング動作し、第７のＦＥＴ４４がオフしている期間は第４のＦＥＴ４１も高周波スイッチング動作を停止してオフ状態を継続し、第５のＦＥＴ４２がオンしている期間に同期して第６のＦＥＴ４３が高周波スイッチング動作し、第５のＦＥＴ４２がオフしている期間は第６のＦＥＴ４３も高周波スイッチング動作を停止してオフ状態を継続するようになっている。
【００４０】
前記点灯装置２の出力端子に２ａ，２ｂに配線５を介して接続した第２の始動装置６は、図６に示すように、ダイオード６１に代えて逆向きのダイオード６６を使用している。すなわち、ダイオード６６のカソードを入力端子６ａに接続し、そのダイオード６６のアノードを、抵抗６２を介してコンデンサ６３に接続している。
【００４１】
このような構成の極性反転回路兼レギュレータ回路４０では、第５のＦＥＴ４２と第７のＦＥＴ４４が低周波サイクルで交互にオン、オフ制御され、第４のＦＥＴ４１は第７のＦＥＴ４４がオンしている期間だけ高周波スイッチング動作し、第６のＦＥＴ４３は第５のＦＥＴ４２がオンしている期間だけ高周波スイッチング動作する。
【００４２】
そして、高圧放電灯３が点灯する前は、第５のＦＥＴ４２がオンしている期間において高周波スイッチング動作する第６のＦＥＴ４３がオンすると、平滑コンデンサ３６の正極端子から、第６のＦＥＴ４３→第５のインダクタ４６→ダイオード３１→抵抗３２→コンデンサ３３→電流検出素子４７→平滑コンデンサ３６の負極端子に充電電流が流れ、コンデンサ３３が充電される。この充電が第６のＦＥＴ４３のオン動作毎に繰り返され、やがてコンデンサ３３の充電電圧が双方向性２端子サイリスタ３４のブレークオーバ電圧に達すると、双方向性２端子サイリスタ３４が導通する。双方向性２端子サイリスタ３４が導通すると、イグナイタトランス２８の１次巻線にコンデンサ３３からの放電電流が瞬時に流れ、イグナイタトランス２８の２次巻線に数ｋＶという高いパルス電圧が発生する。
【００４３】
また、第２の始動装置６では、点灯装置２からの他方の極性、すなわち、入力端子６ｂ側が正極となる矩形波電圧を入力すると、コンデンサ６３、抵抗６２、ダイオード６６を介して充電電流が流れ、コンデンサ６３が充電される。この充電により、やがてコンデンサ６３の充電電圧が双方向性２端子サイリスタ６５のブレークオーバ電圧に達すると、双方向性２端子サイリスタ６５が導通する。双方向性２端子サイリスタ６５が導通すると、イグナイタトランス６４の１次巻線にコンデンサ６３からの放電電流が瞬時に流れ、イグナイタトランス６４の２次巻線に数ｋＶという高いパルス電圧が発生する。
【００４４】
このようにして、第２の始動装置６の出力端子６ｃ，６ｄから高圧放電灯３に対して図７に示すような電圧が印加される。すなわち、点灯装置２から出力される極性が交互に反転する矩形波電圧の一方の極性においては第１の始動装置４からのパルス電圧が高圧放電灯３に印加され、他方の極性においては第２の始動装置６からのパルス電圧が高圧放電灯３に印加される。このようなパルス電圧の印加が繰り返されることによって高圧放電灯３は確実に始動点灯するようになる。すなわち、第１の始動装置４からのパルス電圧と第２の始動装置６からの高いパルス電圧によって高圧放電灯３を確実に始動点灯させることができる。しかも、第１の始動装置４からのパルス電圧と第２の始動装置６からのパルス電圧が発生する極性を異ならせているので、２つのパルス電圧が重なることはなく、高圧放電灯３に対して必要以上に高いパルス電圧が印加するのを防止できる。さらに、点灯装置２において発生させるパルス電圧を切換えるような調整を不要にできる。
【００４５】
高圧放電灯３が点灯した後は、第１の始動装置４及び第２の始動装置６からのパルス電圧の出力は停止される。このように、高圧放電灯３が点灯した後は、第１の始動装置４からのパルス電圧も第２の始動装置６からのパルス電圧も確実に停止させることができる。これにより、ノイズ発生等を最小限に抑えることができる。
【００４６】
そして、高圧放電灯３の点灯時においては、第７のＦＥＴ４４がオンしている期間において、第４のＦＥＴ４１がオンすると、平滑コンデンサ３６の正極端子から、第４のＦＥＴ４１→インダクタ４５→イグナイタトランス６４の２次巻線→高圧放電灯３→イグナイタトランス２８の２次巻線→第７のＦＥＴ４４→電流検出素子４７→平滑コンデンサ３６の負極端子に電流が流れ、また、第４のＦＥＴ４１がオフすると、インダクタ４５→イグナイタトランス６４の２次巻線→高圧放電灯３→イグナイタトランス２８の２次巻線→第７のＦＥＴ４４→ダイオード４８→インダクタ４５に電流が流れ、これが第４のＦＥＴ４１のオン、オフ毎に繰り返される。
【００４７】
また、第５のＦＥＴ４２がオンしている期間において、第６のＦＥＴ４３がオンすると、平滑コンデンサ３６の正極端子から、第６のＦＥＴ４３→インダクタ４６→イグナイタトランス２８の２次巻線→高圧放電灯３→イグナイタトランス６４の２次巻線→第５のＦＥＴ４２→電流検出素子４７→平滑コンデンサ３６の負極端子に電流が流れ、また、第６のＦＥＴ４３がオフすると、インダクタ４６→イグナイタトランス２８の２次巻線→高圧放電灯３→イグナイタトランス６４の２次巻線→第５のＦＥＴ４２→ダイオード４９→インダクタ４６に電流が流れ、これが第６のＦＥＴ４３のオン、オフ毎に繰り返される。こうして高圧放電灯３は点灯を維持することになる。そして、第４、第６のＦＥＴ４１，４３のオンデューティを制御することで出力を制御することができる。  
なお、その他について、この実施の形態においても前述した第１の実施の形態と同様の作用効果が得られるのは勿論である。
【００４８】
（第３の実施の形態）
この実施の形態は照明装置について述べる。  
図８に示すように、高圧放電灯３を照明器具７１によって支持し、この照明器具７１を、例えば室内の天井７２に固定している。そして、第２の始動装置６をこの照明器具７１の近傍に配置し配線７によってランプソケット７３に接続している。
【００４９】
なお、第２の始動装置６を前記ランプソケット７３に直接接続するようにしてもよい。また、第２の始動装置６をランプソケット７３内に一体に組み込んでもよい。  
点灯装置２は室内の特定の場所に設置され、長い配線５を介して第２の始動装置６に接続される。  
このようにすれば、点灯装置２から離れた位置に照明器具７１が配置されても第１の始動装置４からのパルス電圧と第２の始動装置６からの高いパルス電圧によって高圧放電灯３を確実に始動点灯させることができる。
【図面の簡単な説明】
【００５０】
【図１】本発明の、第１の実施の形態に係る高圧放電灯点灯装置の回路構成図。
【図２】同実施の形態における第２の始動装置の回路構成を示す図。
【図３】同実施の形態において始動点灯時に高圧放電灯に印加する電圧波形例を示す図。
【図４】同実施の形態において始動点灯時に高圧放電灯に印加する他の電圧波形例を示す図。
【図５】本発明の、第２の実施の形態に係る高圧放電灯点灯装置の回路構成図。
【図６】同実施の形態における第２の始動装置の回路構成を示す図。
【図７】同実施の形態において始動点灯時に高圧放電灯に印加する電圧波形例を示す図。
【図８】本発明の、第３の実施の形態に係る照明装置の構成を示す図。
【符号の説明】
【００５１】
２…点灯装置、３…高圧放電灯、４…第１の始動装置、６…第２の始動装置。
【図１】
2005116510.tif 000003
【図２】
2005116510.tif 000004
【図３】
2005116510.tif 000005
【図４】
2005116510.tif 000006
【図５】
2005116510.tif 000007
【図６】
2005116510.tif 000008
【図７】
2005116510.tif 000009
【図８】
2005116510.tif 000010